(57)【特許請求の範囲】
【請求項１】
画像を表示する画像表示部と、
外部の光を検出する光検出部と、
予め選択された配色パターンに基づいて色成分を強調して前記画像を表示させる表示制御部と、を備え、
前記表示制御部は、前記光検出部により所定量以上の光量が検出されたことに応じて、選択された前記配色パターンに基づく色成分の前記強調を前提とし、前記光検出部での検出結果に応じた色彩で視認性の高い前記画像を表示させることを特徴とする表示装置。
【請求項２】
前記表示制御部は、前記光検出部により、所定量以上の光が検出された場合には、赤色成分を強調すると共に、青色成分を抑制した色彩で前記画像を表示させることを特徴とする請求項１に記載の表示装置。
【請求項３】
複数の配色パターンを記憶した記憶部を、さらに備え、
該記憶部には、赤色成分及び青色成分の度合いをそれぞれ変更した複数のサンプル画像が予め記憶されており、
前記表示制御部は、前記複数のサンプル画像のうち予め選択されたサンプル画像に対応する色成分の度合いに基づいて、前記画像を表示させることを特徴とする請求項１又は２に記載の表示装置。
【請求項４】
前記光検出部は、光センサ又はカメラ部により構成されることを特徴とする請求項１から３のいずれか１項に記載の表示装置。
【請求項５】
前記画像表示部における表示は、待ち受け画面又はメニュー画面その他の各種リスト画面を表示する際に行われることを特徴とする請求項１から４のいずれか１項に記載の表示装置。
【請求項６】
前記光検出部での検出結果に対応する変換式を有する変換式テーブルを記憶した記憶部を備え、
前記表示制御部は、前記変換式テーブルを参照し、前記光検出部での検出結果に対応する変換式により算出された値に基づいて、前記画像を表示させることを特徴とする請求項１から５のいずれか１項に記載の表示装置。
【請求項７】
操作部を、さらに備え、
前記記憶部は、異なる色彩のサンプル画像を複数記憶すると共に、前記複数のサンプル画像のいずれかが前記操作部での操作により選択されたときに前記光検出部にて検出された外部の光を前記選択されたサンプル画像に対応付けて記憶し、
前記表示制御部は、前記サンプル画像に対応付けられている外部の光のうち前記光検出部での検出結果に対応する外部の光を抽出し、この抽出された外部の光に対応付けられた前記サンプル画像の色彩で前記画像を表示させることを特徴とする請求項６に記載の表示装置。
【請求項８】
画像を表示する画像表示部と、外部の光を検出する光検出部と、を備える表示装置の制御方法であって、
前記光検出部により光を検出する光検出ステップと、
予め選択された配色パターンに基づいて色成分を強調して前記画像を表示させている場合に、前記光検出部により所定量以上の光量が検出されると、選択された前記配色パターンに基づく色成分の前記強調を前提とし、前記光検出ステップの処理での検出結果に応じた色彩で視認性の高い前記画像を表示させる表示制御ステップと、
を含むことを特徴とする制御方法。
【発明の詳細な説明】
【技術分野】
【０００１】
本発明は、所定の環境下でも視認性が高い表示装置及びその制御方法に関する。
【背景技術】
【０００２】
従来より、携帯電話機においては、多様な色をカラー表示することができる液晶パネル等を搭載している。このような携帯電話機では、配色を様々異ならせて表示を多彩にすることが行われる（特許文献１参照）。
【先行技術文献】
【特許文献】
【０００３】
【特許文献１】特開２００２−４１１９４号公報
【発明の概要】
【発明が解決しようとする課題】
【０００４】
上述したような特許文献１に記載の技術においては、多数の色を表示させているために、例えば、直射日光下等の環境下においては、表示面が日光で光ってしまい、色によっては見えづらくなってしまうという問題があった。
【０００５】
本発明は、所定の環境下でも表示画面の視認性を高くすることができる表示装置及びその制御方法を提供することを目的とする。
【課題を解決するための手段】
【０００６】
本発明に係る表示装置は、上記課題を解決するために、画像を表示する画像表示部と、外部の光を検出する光検出部と、前記光検出部での検出結果に応じた色彩で表示を行うように前記画像表示部を制御する表示制御部と、を備えることを特徴とする。
【０００７】
また、表示装置では、前記表示制御部は、前記光検出部により、所定量以上の光が検出された場合には、赤色成分を強調すると共に、青色成分を抑制した色彩で表示を行うよう前記画像表示部を制御することを特徴とすることが好ましい。
【０００８】
また、表示装置では、複数の配色パターンを記憶した記憶部を、さらに備え、前記記憶部には、赤色成分及び青色成分の度合いをそれぞれ変更した複数のサンプル画像が予め記憶されており、前記表示制御部は、前記複数のサンプル画像のうち予め選択されたサンプル画像に対応する色成分の度合いにより、前記画像表示部を制御することを特徴とすることが好ましい。
【０００９】
また、表示装置では、前記光検出部は、光センサ又はカメラ部により構成されることを特徴とすることが好ましい。
【００１０】
また、表示装置では、前記画像表示部における表示は、待ち受け画面又はメニュー画面その他の各種リスト画面を表示する際に行われることを特徴とすることが好ましい。
【００１１】
また、表示装置では、前記光検出部での検出結果に対応する変換式を有する変換式テーブルを記憶した記憶部を備え、前記表示制御部は、前記変換式テーブルを参照し、前記光検出部での検出結果に対応する変換式により算出された値に基づいて、前記画像表示部の表示を行うように制御することを特徴とすることが好ましい。
【００１２】
また、表示装置では、操作部を、さらに備え、前記記憶部は、異なる色彩のサンプル画像を複数記憶すると共に、前記複数のサンプル画像のいずれかが前記操作部での操作により選択されたときに前記光検出部にて検出された外部の光を前記選択されたサンプル画像に対応付けて記憶し、前記表示制御部は、前記サンプル画像に対応付けられている外部の光のうち前記光検出部での検出結果に対応する外部の光を抽出し、この抽出された外部の光に対応付けられた前記サンプル画像の色彩で表示を行うように、前記画像表示部を制御することを特徴とする。
【００１３】
また、別の本発明に係る表示装置の制御方法では、画像を表示する画像表示部と、外部の光を検出する光検出部と、を備える表示装置の制御方法であって、前記光検出部により光を検出する光検出ステップと、前記光検出ステップの処理での検出結果に応じた色彩で表示を行うように前記画像表示部を制御する表示制御ステップと、を含むことを特徴とする。
【発明の効果】
【００１４】
本発明によれば、所定の環境下でも表示画面の視認性を高くすることができる。
【図面の簡単な説明】
【００１５】
【図１】本発明の一実施形態である携帯電話機の外観を示す図である。
【図２】携帯電話機の機能的構成を示す機能ブロック図である。
【図３】機能設定画面の表示の一例を示す模式図である。
【図４】配色パターン設定の選択画面の一例を示す模式図である。
【図５】配色パターン設定の選択画面の他の例を示す模式図である。
【図６】色彩変更を説明するための概念図である。
【図７】携帯電話機の表示部に表示される画面を示す模式図である。
【図８】携帯電話機の表示処理の動作の流れを示すフローチャートである。
【発明を実施するための形態】
【００１６】
以下、本発明の好適な実施形態の一例について説明する。なお、本実施形態では、具体例として携帯電話機１（表示装置）を想定して説明するが、これに限られず、例えば、ＰＨＳ（Ｐｅｒｓｏｎａｌ  Ｈａｎｄｙ  ｐｈｏｎｅ  Ｓｙｓｔｅｍ）端末や、ＰＤＡ（Ｐｅｒｓｏｎａｌ  Ｄｉｇｉｔａｌ  Ａｓｓｉｓｔａｎｔ）等の様々な携帯電子機器に適用可能である。
【００１７】
図１は、本発明の携帯電話機１の外観を示す図である。詳細には、図１（ａ）は携帯電話機１の展開状態を示す外観図であり、図１（ｂ）は携帯電話機１の非展開状態を示す外観図である。
本実施形態における携帯電話機１は、後述する操作部８が設けられる操作部側筐体２と、後述する表示部１２が設けられる表示部側筐体３の２つの筐体を、ヒンジ部４を介して、図１（ａ）に示すような展開状態から図１（ｂ）に示すような非展開状態となる折り畳み状態に形態を変更可能に連結した、いわるゆ、折り畳み式の携帯電話として構成される。なお、携帯電話機１は、本実施形態においては折り畳み式の携帯電話機１として構成したがこれに限られず、例えば、ストレート式の携帯電話機やスライド式の携帯電話機１あってもよい。
【００１８】
また、携帯電話機１は、図１（ａ）に示す展開状態で表面に露出し、表示部１２の表示面側と同一面に配置されると光センサ５と、インカメラ６Ａとを備える。また、携帯電話機１は、図１（ｂ）に示すように、表示部１２の表示面側の反対側にアウトカメラ６Ｂを備える。つまり、携帯電話機１においては、光センサ５により表示面に対して照射される光の量を検出することができる。また、携帯電話機１においては、インカメラ６Ａとアウトカメラ６Ｂにより、携帯電話機１の周囲の画像を撮像することができる。
【００１９】
以上のように構成される携帯電話機１においては、ユーザの視覚特性を加味して視認性の高い表示ができる機能を有し、携帯電話機１の置かれた環境下に対応した表示を行うことで、視認性の高い表示を行うことができる機能を有する。
【００２０】
次に、本実施形態における携帯電話機１の機能的構成について説明する。図２は、本実施形態における携帯電話機１の機能的構成を示す機能ブロック図である。詳細には、図２（ａ）は携帯電話機１の機能的構成を示す機能ブロック図である。
【００２１】
携帯電話機１は、機能構成としては、図２（ａ）に示すように、光センサ５と、カメラ６と、記憶部７と、操作部８と、スピーカ９と、マイク１０と、通信部１１と、表示部１２と、ＣＰＵ１３と、を備える。
【００２２】
光センサ５は、携帯電話機１の周囲の光量、詳細には表示部１２の表示面に照射される光を検出する。本実施形態においては、光センサ５により検出した光量は、携帯電話機１が置かれた環境を判定するために用いる。具体的には、例えば、光センサ５が所定量以上の光を検出した場合には、直射日光下に携帯電話機１が置かれている（詳細には、表示面に直射日光が当たっている）等の環境の判定に用いることができる。
【００２３】
カメラ６は、上述したインカメラ６Ａと、アウトカメラ６Ｂと、を備える。カメラ６では、それぞれ設けられた側において画像を撮像する。本実施形態においては、カメラ６により撮像した画像は、携帯電話機１が置かれた環境を判定するために用いられる。
【００２４】
記憶部７は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリにより構成されており、各種データを記憶する。
また、記憶部７には、具体的には、例えば、単色表示に対応した変換式テーブルデータや配色パターンに対応した変換式テーブルデータや、環境条件に対応した変換式テーブルデータを記憶する。各変換式テーブルデータには、対応する変換式が格納されている。環境条件に対応した変換式とは、直射日光下の環境では、例えば、赤色成分を強調し、青色成分を抑制したような表示が可能になる変換式である。
また、記憶部７には、各配色パターンに対応したサンプル画像や、配色パターンに対応し、かつ、検出した光量を考慮したサンプル画像が記憶されている。
【００２５】
操作部８は、ユーザにより入力操作されることにより、選択・決定等の各種操作を行う。
スピーカ９は、通話時において、相手先の音声を出力する。
マイク１０は、通話時において、ユーザの音声を入力する。
通信部１１は、音声データ等の各種データの送受信を行う。
【００２６】
表示部１２は、本実施形態においては、ＬＣＤ（Ｌｉｑｕｉｄ  Ｃｒｙｓｔａｌ  Ｄｉｓｐｌａｙ、液晶ディスプレイ）として構成される。また、表示部１２は、ＣＰＵ１３（詳細には、後述する表示制御部１３５）による制御より、例えば、カラー表示、黒白のみで表示する単色表示、各画素の輝度や色成分を種々変更可能に構成される。表示部１２は、例えば、ＲＧＢ値やＹＵＶ値等の色空間値の調整を行うことにより各画素の輝度や色成分を変更する。
【００２７】
ＣＰＵ（Ｃｅｎｔｒａｌ  Ｐｒｏｃｅｓｓｉｎｇ  Ｕｎｉｔ）１３は、中央演算処理装置であり、各部の制御を行い、例えば、カメラ６の撮像を制御し、操作部８への入力操作を検出し、表示部１２の表示を制御し、光センサ５の光量の検出を制御し、記憶部７へのデータの記憶を制御し等の各種制御を行う。
【００２８】
ＣＰＵ１３は、詳細には、カラー表示／単色表示設定部１３０と、配色パターン設定部１３１と、環境判定部１３２と、変換処理部１３３と、輝度変更部１３４と、表示制御部１３５と、を備える。
【００２９】
カラー表示／単色表示設定部１３０は、ユーザの設定に基づいて、カラー表示又は単色表示の表示設定を行う。
ここで、カラー表示とは、表示部１２において表示可能な色で表示する表示のことである。「単色表示」とは、表示部１２において表示可能な色を減じて特定の色のみで表示する表示のことであり、例えば、白と黒のみによる表示である。
携帯電話機１では、「単色表示」で表示することにより、多数の色を表示しないために、電力消費を抑えることができる。
【００３０】
なお、本実施形態においては、ユーザの設定のために、図３（ａ）に示すような画面表示を行い、ユーザにカラー表示又は単色表示の設定を促す。図内、「カラー表示（ユーザカスタマイズ）」とは、カラー表示に加えて後述する環境の判定に基づいた表示を行うための設定である。ちなみに、図３は、機能設定画面の表示の一例を示す模式図である。詳細には、図３（ａ）は、カラー／単色表示の設定画面である。
【００３１】
配色パターン設定部１３１は、ユーザの選択に基づいて、配色パターンの設定を行う。配色パターンとは、表示される画像等のそもそもの色ではなく、特定の色味を強調して、すなわち、色味を偏らせて各種表示を行うものである。ヒトは個人により色との相性があり、相性のよくない色で表示されることで視認性が低下し、逆に、相性のよいで表示されることで視認性が向上する。このような特性を利用して、本実施形態では、ユーザに、配色パターンを選択させ、ユーザに合った色味で表示を行うことで、ユーザ個々に対応して、表示画面の視認性を向上させることができる。
【００３２】
また、配色パターン設定部１３１は、本実施形態においては、配色パターン１〜配色パターン４の４種類の配色パターンのうちの１つを設定する。以下、配色パターンは、例示であり、種々強調する色味を変更させることができる。
【００３３】
本実施形態において、「配色パターン１」は、白色を強調した設定であり、表示画面は、白味がかって表示される配色パターンである。
「配色パターン２」は、赤色を強調した設定であり、表示画面は、赤味がかって表示される配色パターンである。具体的には、例えば、赤色成分値を高くして、青色成分値を低くして表示するパターンである。
「配色パターン３」は、青色を強調した設定であり、表示画面は、青味がかって表示される配色パターンである。具体的には、例えば、青色成分値を高くして、赤色成分値を低くして表示するパターンである。
「配色パターン４」は、黒色を強調した設定であり、表示画面は、黒味がかって表示される配色パターンである。なお、配色パターンは、単に特定の色を強調するように構成したが、これに限られず、特定の色が強調されるように、強調したい色と補色関係の色を抑制するように構成してもよい。
【００３４】
また、配色パターンの設定に際しては、本実施形態においては、ユーザ選択画面を図４に示すように構成する。図４は、配色パターン設定の選択画面の一例を示す模式図である。詳細には、図４（ａ）は配色パターン設定の選択画面の開始画面を示す模式図であり、図４（ｂ）〜図４（ｅ）は選択可能な配色パターンを表示する画面を示す模式図である。
【００３５】
配色パターン設定の選択は、本実施形態においては、例えば、配色パターン毎に、配色を変更した場合の画面を順次表示して行う。具体的には、例えば、配色パターンに対応したサンプル画像を順次表示する。
このように配色を変更した場合の実際の画面を表示することで、ユーザは、より配色パターンの選択をしやすくなる。
【００３６】
具体的には、図４（ａ）に示すように、配色パターン設定の開始時の画面を表示して、ユーザに配色パターンの選択を促す。
【００３７】
ユーザにより［ＯＫ］が選択操作された場合には、図４（ｂ）に示すようなプレビュー画面を表示する。図４（ｂ）のプレビュー画面では、配色パターン１の配色（例えば、通常の設定よりも各画素の白色成分が多く設定され、白味がかった配色）に基づいた画面の表示が行われる。
【００３８】
配色パターン１を選択しない場合には、図４（ｂ）の画面に移動し、配色パターン２をプレビュー画面として表示する。その後、同様にして、図４（ｃ）〜図４（ｅ）に示すように、順次配色パターンをプレビュー画面として表示する。最終的に、ユーザは、配色パターン１〜配色パターン４の中から自分にあった配色パターンを選択する。
【００３９】
このように構成することで、ユーザは、詳細な設定を知らなくても、直感的に見やすい色を選択することができる。通常の使用の状態に近い状態で見やすいか否かを判断することができる。
【００４０】
また、配色パターンの設定に際しては、上述した例の他に、図５に示すように構成することができる。図５は、配色パターン設定の選択画面の他の例を示す模式図である。
【００４１】
配色パターン設定の選択は、図５に示すように、各配色パターンを一覧表示するように構成することも可能である。
このように構成することにより、ユーザは、他の配色設定との差分を意識しやすくなる。
この場合、表示部１２は、上述した配色パターンの設定（選択されたサンプル画像に対応する色成分の度合い）に基づいて、画面表示を行う。
【００４２】
環境判定部１３２は、光センサ５から検出された光量又はカメラ６により撮像された画像に基づいて、携帯電話機１が置かれた環境の判定を行う。
ここで、環境判定部１３２における環境判定の一例について説明する。
光センサ５から検出された光量に基づいた環境の判定については、検出される光量の値から、例えば、直射日光下、日陰、夕暮れ、夜中等の環境に携帯電話機１が置かれていることを判定することができる。
【００４３】
カメラ６により撮像された画像に基づいた環境の判定については、撮像された画像の色情報から撮像した画像を解析することにより、例えば、カメラ６で撮像した画像の色情報を解析することで、直射日光下、日陰、夕暮れ、夜中等の環境に携帯電話機１が置かれていることを判定することができる。
【００４４】
また、カメラ６により撮像された画像に基づいた環境の判定については、画像の光の量や色の具合を解析することで、例えば、画像中に緑が多ければ、森の中と判定したり、灰色が多ければ、市街地や都心部にいることを判定したりする。この際、天候を加味することもできる。さらに、撮像した画像のうち、多数のヒトの顔が認識された場合には、混雑時の電車内等の他の者に表示画面を見られたくないであろう環境を判定することができる。
【００４５】
なお、本実施形態においては、ユーザの設定のために、図３（ｂ）に示すような画面表示を行い、ユーザに環境に対応した表示（環境パターン）を自動で行うように設定（自動設定）するか、手動で行うように設定（手動設定）するかの設定を促す。手動設定が設定された場合には、表示画面は、図３（ｃ）の画面に移行して、各種の手動設定が行われることになる。本実施形態において、手動設定は、直射日光下での表示設定となる「（１）直射日光」と、日陰下での表示設定となる「（２）日陰」と、夕暮れ下での表示設定となる「（３）夕暮れ」と、夜中下での表示設定となる「（４）夜中」の４種類の設定が可能に構成される。ちなみに、図３（ｂ）は環境パターンの設定画面であり、図３（ｃ）は手動設定下での各種環境設定画面である。
【００４６】
また、本実施形態においては、設定された配色パターンでの色彩を、環境判定部１３２により検出した光量等に対応した色彩に変更して表示を行う。つまり、表示の基準を配色パターンとし、その基準から携帯電話機１が置かれた環境に合った表示に変更するように構成される。したがって、携帯電話機１においては、ユーザに合った色表示を前提にして、さらに環境に好適な色合いに変更された画面表示がされることになる。
【００４７】
また、具体的には、例えば、記憶部７は、異なる色彩のサンプル画像を複数記憶すると共に、複数のサンプル画像のいずれかが操作部８での操作により選択されたときに光センサ５又はカメラ６にて検出された外部の光を選択されたサンプル画像に対応付けて記憶して構成してもよい。
この場合、表示制御部１３５は、サンプル画像に対応付けられている外部の光のうち前記光検出部での検出結果に対応する外部の光を抽出し、この抽出された外部の光に対応付けられたサンプル画像の色彩で表示を行うように、表示部１２を制御する。
【００４８】
変換処理部１３３は、表示部１２に表示させる色データを各種表示に対応した色データに変換する。各種表示に対応した色データへの変換は、図２（ｂ）に示すように、表示画像の色データ値を、記憶部７の対応する変換式テーブル（単色表示、配色パターンでの表示、環境に応じた表示に対応する変換式テーブル）に格納される変換式に代入し、演算することにより行う。その後、表示制御部１３５は、変換処理部１３３の演算結果に基づいて、表示をするように表示部１２を制御する。
携帯電話機１では、表示に際して、変換処理部１３３により、対応する表示に変換することで、記憶部７において、対応する色データを記憶する必要がないために、記憶容量を削減することができる。
【００４９】
輝度変更部１３４は、環境の判定結果やユーザの選択に基づいて、表示画面の輝度を変更（具体的には、現在の表示画面における輝度値を低下）させるために、輝度値を算出する。その結果、表示制御部１３５は、表示部１２における表示画面の輝度値を低下させる。
携帯電話機１では、表示に際して、輝度値を低下させることで、表示画面の視認性を一時的に低下させる。このため、携帯電話機１では、例えば、混雑時の電車内等において、他者に表示画面を見られたくない場合に、視認性を低下させることで、覗き見を防止することができる。
【００５０】
表示制御部１３５は、表示画像データに基づいて、表示部１２の表示を制御し、各種設定により表示が変更される場合には、変換処理部１３３や輝度変更部１３４により変換された値に基づいて、表示部１２の表示を制御する。
【００５１】
以上のように構成される携帯電話機１は、画像を表示する表示部１２と、外部の光を検出するカメラ６又は光センサ５と、カメラ６又は光センサ５での検出結果に応じた色彩で表示を行うように表示部１２を制御する表示制御部１３５と、を備える。
したがって、携帯電話機１においては、カメラ６又は光センサ５により検出された外部の光に応じた色彩で表示部１２の表示を行うために、携帯電話機１が置かれる環境に関係なく視認性の高い画面表示を行うことができる。
【００５２】
次に、環境の判定に基づいた画面表示について説明する。
ここで、直射日光下の環境に対応した表示の具体例について、図６及び図７を用いて説明する。図６は、色彩変更を説明するための概念図である。図７は、環境判定時の表示画面の変遷を示す模式図である。詳細には、図７（ａ）は通常の状態での表示画面を示す模式図であり、図７（ｂ）は直射日光下での表示画面を示す模式図であり、図７（ｃ）は、図７（ｂ）の状態から環境の判定が行われて表示が切り替えられた後の表示画面を示す模式図である。ここでは、光センサ５により検出された光に基づいて環境判定が行われる例について説明する。また、表示する画面は、細かい表示がされるような、例えば、メニュー画面、メール選択画面、アドレス帳画面等のリスト表示を行う際に、より効果を発揮する。このため、本実施形態においては、リスト表示の一例である機能設定のメニュー画面を例として説明する。
【００５３】
通常の環境下では、図７（ａ）に示すように、表示される画面は、置かれた環境の影響を受けることがないために、通常の表示状態で、視認性が損なわれることがない。
【００５４】
しかし、携帯電話機１の置かれた環境が変化して、例えば、直射日光を受けるようなところで使用されることにより、図７（ｂ）に示すように、画面に日光が写りこんで、視認性が低下してしまう。
【００５５】
携帯電話機１においては、所定のタイミングで光センサ５により光の検出が行われており、環境判定部１３２は、光センサ５により検出された光量に基づいて環境を判定する。本例では、環境判定部１３２では、検出された光量が直射日光下である所定の光量値であるために、直射日光下であると判定される。
【００５６】
そこで、変換処理部１３３は、環境判定部１３２による判定結果に基づいて、記憶部７から、直射日光下の環境における表示に対応する変換式テーブルデータを参照し、変換式テーブルデータに格納される変換式に基づいて、表示画像の色情報を変換する。直射日光下における表示画像の色情報の変換は、図６に示すように、実線で表された色表示から、一部破線で表されるように、赤色成分が強調され、青色成分が抑制されるように変換される。
【００５７】
なお、本実施形態においては、直射日光下においては、赤色成分を強調し、青色成分を抑制するように構成したが、さらに、視認性を向上させるために、黄色成分の強調を行うように構成してもよい。黄色成分の強調は、具体的には、例えば、赤色成分及び緑色成分の強調を合わせて行うことで可能となる。この際、青色成分を抑制させることで、黄色成分の強調が際立つことになる。
また、紫色の強調を行うように構成してもよい。紫色の強調は、赤色成分及び青色成分を強調合わせて行うことで可能となる。
【００５８】
その後、表示制御部１３５は、変換処理部１３３により変換された表示画像の色情報に基づいて表示するように表示部１２を制御する。その結果、表示部１２においては、赤色が強調され、青色が抑制された画面表示となり、図７（ｃ）に示すように、直射日光下でも視認性が高い画面表示を行うことがきる。
【００５９】
したがって、表示制御部１３５は、カメラ６又は光センサ５により、所定量以上の光が検出された場合には、赤色成分を強調すると共に、青色成分を抑制するような色彩で表示を行うように表示部１２における表示が行われる。
したがって、この変換値に基づいて、表示部１２における表示を行うことで、直射日光下においても視認性の高い画面表示を行うことができる。
【００６０】
次に、本実施形態の携帯電話機１の動作の流れについて図８を用いて説明する。図８は、本実施形態の携帯電話機１の動作を示すフローチャートである。
【００６１】
ステップＳＴ１において、カラー表示／単色表示設定部１３０は、カラー表示が選択されたか否かを判断する。詳細には、配色パターン設定部１３１は、図３（ａ）に示すような画面を表示して、ユーザによる操作部８を介した操作により、カラー表示又は単色表示を設定させる。
カラー表示が設定された場合（ＹＥＳ）には、ステップＳＴ２に進む。
カラー表示が設定されず、単色表示が設定された場合（ＮＯ）には、ステップＳＴ８に進む。
【００６２】
ステップＳＴ２において、配色パターン設定部１３１は、配色パターン設定を行う。詳細には、配色パターン設定部１３１は、ユーザによる操作部８を介した操作により、図４（ｂ）〜図４（ｅ）の各種配色パターンの中から、所望の各種配色パターンが設定される。携帯電話機１は、設定された配色パターンを基準して以降の画面表示が行われる。
【００６３】
ステップＳＴ３において、環境モード設定部は、環境モードがＯＮされたか否かを判断する。環境モードがＯＮされた、すなわち、環境モードが設定された場合（ＹＥＳ）には、処理はステップＳＴ４に進む。環境モードがＯＮされない（ＯＦＦされた）、すなわち、環境モードが設定されない場合（ＮＯ）には、処理はステップＳＴ８に進む。
【００６４】
ステップＳＴ４において、光センサ５は、光量を検出する。
ステップＳＴ５において、環境判定部１３２は、直射日光下であるか否かを判定する。詳細には、環境判定部１３２は、光センサ５により検出された光に基づいて、直射日光下であるか否かを判定する、すなわち、光センサ５により検出された光が所定の光量以上であるか否かを判定する。
光センサ５により検出された光が所定の光量以上である場合（ＹＥＳ）には、ステップＳＴ６に進む。この場合には、携帯電話機１は、図７（ｂ）に示すように、直射日光下に置かれている状態となり、表示画面の視認性が著しく悪い状態となっている。
光センサ５により検出された光が所定の光量以上でない場合（ＮＯ）には、ステップＳＴ８に進む。
【００６５】
ステップＳＴ６において、変換値算出部は、変換値の算出を行う。詳細には、変換値算出部は、記憶部７に記憶される変換式テーブルを参照し、直射日光下での変換式に基づいて、表示部１２での表示の用いる変換値を算出する。変換値算出部は、表示部１２において、赤色成分を強調すると共に、青色成分を抑制した表示になるような変換値を算出する。
なお、この際、変換の基準値となるのは、選択された配色パターンである。
【００６６】
ステップＳＴ７において、表示制御部１３５は、変換値算出部により算出された変換値に基づいて、表示部１２の表示を行うように表示部１２を制御する。
【００６７】
ステップＳＴ８において、表示部１２は、表示を行い、その後処理は終了する。詳細には、ステップＳＴ１においてＮＯと判定された場合には、単色表示を行う。また、ステップＳＴ３及びステップＳＴ５において、ＮＯと判定された場合には、所定の配色パターンでの表示を行う。また、ステップＳＴ５において、ＹＳＥと判定された場合には、配色パターンを前提とした、直射日光下に対応した表示が行われることになり、図７（ｃ）に示すように、直射日光下においても、視認性の高い画面表示が行われる。
【００６８】
また、ステップＳ８においては、ユーザにより、覗き見防止に係る操作がなされた場合には、輝度変更部１３４により算出された低い輝度値に基づいて、表示制御部１３５は、表示を行うように表示部１２を制御する。その結果、低い輝度により表示部１２においては、表示が行われるために、視認性の低い画面表示が行われ、覗き見が防止される。
【００６９】
したがって、携帯電話機１においては、光センサ５の検出結果に基づいて、置かれている環境（特に、直射日光下）を判断して、置かれている環境に応じた表示を行うために、置かれている環境での影響を受けて視認性が低下してしまわない表示を行うことができる。
【００７０】
なお、本発明は、上述の実施形態に限定されるものではなく、本発明の目的を達成できる範囲での変形、改良等は本発明に含まれるものである。
【００７１】
また、上述の実施形態では、表示に際して、通常表示以外の表示は、変換値を算出して、当該変換値に基づいて、表示を行うように構成したが、これに限られない。例えば、変更設定テーブルを参照することにより、対応してもよい。
【００７２】
また、上述の実施形態では、配色パターンを設定した前提において、置かれた環境下でも視認性を低下させないような変換値を算出したが、これに限られない。単に通常の表示状態に基づいて、置かれた環境下でも視認性を低下させないような変換値を算出してもよい。また、環境は考慮せずに、配色パターンのみを選択するように構成してもよい。
【００７３】
また、上述の実施形態では、本発明は、表示装置の例として携帯電話機１を説明に用いたが、特にこれに限定されない。本発明は、例えば、表示部を備えている電子機器一般に適用することができる。
【符号の説明】
【００７４】
１          携帯電話機（表示装置）
５          光センサ（光検出部）
６Ａ        カメラ、インカメラ（光検出部）
６Ｂ        カメラ、アウトカメラ（光検出部）
７          記憶部
１２        表示部（画像表示部）
１３５      表示制御部
【図１】
0005822471.tif 000002
【図２】
0005822471.tif 000003
【図３】
0005822471.tif 000004
【図４】
0005822471.tif 000005
【図５】
0005822471.tif 000006
【図６】
0005822471.tif 000007
【図７】
0005822471.tif 000008
【図８】
0005822471.tif 000009